(57)【要約】【課題】小型化や低コスト化が実現可能でありながら、同時に、天候や時間に左右されることなく靴類を迅速且つ確実に乾燥させることができる靴類乾燥装置を提供する。【解決手段】靴類乾燥装置１０は、靴類を載置する載置台１２と、反射面が載置台１２に向けて配設される反射体１４と、を有して構成され、発熱体を利用して靴類を乾燥させる。【選択図】図１
2007319501.tif 000002
【特許請求の範囲】
【請求項１】
靴類を載置する載置台と、
反射面が前記載置台に向けて配設される反射体と、を有して構成され、
発熱体を利用して前記靴類を乾燥させることを特徴とする、
靴類乾燥装置。
【請求項２】
前記反射体における前記反射面の裏側の面の少なくとも一部が断熱材で覆われていることを特徴とする、
請求項１に記載の靴類乾燥装置。
【請求項３】
前記載置台または前記反射体が折りたたみ可能に構成されていることを特徴とする、
請求項１または２に記載の靴類乾燥装置。
【請求項４】
前記反射体の上方には前記発熱体からの輻射線が入射可能な開口部が形成され、
前記反射体の下方には前記載置台の一部を前記反射体の内部に挿入可能なスリットが形成されていることを特徴とする、
請求項１〜３のいずれか１項に記載の靴類乾燥装置。
【請求項５】
前記反射体が、前記載置台に吊り下げられていることを特徴とする、
請求項４項に記載の靴類乾燥装置。
【請求項６】
前記載置台の上部に、
自身を吊り下げるためのフックが設けられていることを特徴とする、
請求項１〜５のいずれか１項に記載の靴類乾燥装置。
【請求項７】
前記載置台は、靴の踵部分を支持するためのリング状の踵支持部と、この踵支持部を基端として延出形成された靴座本体と、この靴座本体の先端部から前記踵支持部側に向けて放物線状に延出形成された可撓性を有する爪先支持部と、を有して構成される靴座を備えていることを特徴とする、
請求項１〜６のいずれか１項に記載の靴類乾燥装置。
【請求項８】
前記靴座が傾斜可能に構成されていることを特徴とする、
請求項７に記載の靴類乾燥装置。
【請求項９】
前記熱源をさらに備えたことを特徴とする、
請求項１〜８のいずれか１項に記載の靴類乾燥装置。
【発明の詳細な説明】
【技術分野】
【０００１】
本発明は、運動靴などの靴類を乾燥させるための靴類乾燥装置に関するものである。
【背景技術】
【０００２】
従来、濡れた運動靴などの靴類を乾燥させる靴類乾燥装置として、太陽光などを利用して靴類を自然乾燥させる自然乾燥タイプの靴類乾燥装置や、熱風などを利用して靴類を強制乾燥させる強制乾燥タイプの靴類乾燥装置などが広く知られている。
【０００３】
例えば、特許文献１には、太陽光や外部の温度を取り込むようにした集熱部と、靴の内部に挿入される放熱部とを有し、集熱部で取り込んだ熱を放熱部に導いて、靴の乾燥を促進させるようにした靴たてが開示されている。
【０００４】
また、特許文献２には、熱風を靴の内部に導いて靴の乾燥を促進させるようにした靴類乾燥装置が開示されている。
【特許文献１】特開平６−２０９８９６号公報
【特許文献２】特開２００５−６６０７０号公報
【発明の開示】
【発明が解決しようとする課題】
【０００５】
しかしながら、上記特許文献１記載の自然乾燥タイプの靴類乾燥装置では、屋外の天候などにより乾燥時間が左右されるため、乾燥時間が不安定であり、例えば、翌朝までに靴を乾かしたいといった使用者のニーズに対応できない場合があった。
【０００６】
また、上記特許文献２に記載の強制乾燥タイプの靴類乾燥装置では、熱風を発生させる装置が必要で、装置の小型化や低コスト化が難しく、一般家庭での使用には不向きである上に、熱風によって靴が傷んでしまうおそれもあった。
【０００７】
本発明は、このような問題点を解決するためになされたものであって、小型化や低コスト化が実現可能でありながら、同時に、天候や時間に左右されることなく靴類を迅速且つ確実に乾燥させることができる靴類乾燥装置を提供することを目的とする。
【課題を解決するための手段】
【０００８】
本発明に係る靴類乾燥装置は、靴類を載置する載置台と、反射面が前記載置台に向けて配設される反射体と、を有して構成され、発熱体を利用して前記靴類を乾燥させることを特徴とする、靴類乾燥装置である。
【０００９】
本発明に係る靴類乾燥装置によれば、白熱灯など、一般家庭に備わっている発熱体を熱源として靴類を乾燥させることができるため、特別な装置が不要で、装置の小型化や低コスト化が容易である。また、従来の靴類乾燥装置のように乾燥時間が天候や時間に左右されることがなく、靴類を迅速且つ確実に乾燥させることができる。さらに、従来の靴類乾燥装置のように熱風を使用しないため、熱風による火傷や靴の損傷の心配がない。
【００１０】
なお、前記反射体における前記反射面の裏側の面の少なくとも一部が断熱材で覆われていれば、発熱体によって生成された熱が、反射面の裏側の面から外部に放出されてしまうのを防止することができる。そのため、反射面側の温度の低下を抑えることができ、靴類をさらに効率的に乾燥させることができる。
【００１１】
また、前記載置台または前記反射体が折りたたみ可能に構成されていれば、使用後や運搬時に装置を折りたたむことができ、装置の使い勝手を向上させることができる。
【００１２】
また、前記反射体の上方には前記発熱体からの輻射線が入射可能な開口部が形成され、前記反射体の下方には前記載置台の一部を前記反射体の内部に挿入可能なスリットが形成されていれば、載置台の一部を反射体の内部に収容することができる。そのため、装置によって占有される空間を小さくすることができ、装置を様々な場所に設置することが可能となると共に、靴類を反射体によって隠すことが可能となり、装置の使用時における見栄えが良く、景観を損なうことがない。さらに、熱源が反射体や載置台よりも上方に位置することになるため、乾燥中の靴から垂れた水滴が熱源に落ちて熱源が損傷するようなおそれがない。
【００１３】
また、この場合、前記反射体が、前記載置台に吊り下げられていれば、反射体の下方に空間を形成することができる。そのため、反射体の下方に形成されたスリットを介して外部の空気を反射体の内部に導くことによって、反射体の内部の空気を対流させることができ、より一層、靴類の乾燥を促進することができる。
【００１４】
また、前記載置台の上部に、自身を吊り下げるためのフックが設けられていれば、フックを利用して載置台を物干し竿などに吊るすことができる。そのため、載置台を、単独で自然乾燥用の靴干しとして利用することもでき、載置台の利用範囲を広げることができる。
【００１５】
また、前記載置台は、靴の踵部分を支持するためのリング状の踵支持部と、この踵支持部を基端として延出形成された靴座本体と、この靴座本体の先端部から前記踵支持部側に向けて放物線状に延出形成された可撓性を有する爪先支持部と、を有して構成される靴座を備えていれば、靴を安定的に支持することができる。また、爪先支持部の先端を丸く処理すれば、靴の着脱時に靴の爪先部分を傷つけるおそれがない上に、爪先部分の幅寸法が異なるような複数種類のサイズの靴に対応することが可能となる。
【００１６】
また、前記靴座が傾斜可能に構成されていれば、靴の水切りを効果的に行うことができ、特に、靴の爪先部分が上方に位置するように傾斜させることによって、乾きにくい爪先部分を熱源に近づけることができ、靴類を効果的に乾燥させることができる。
【００１７】
また、前記熱源をさらに備えれば、装置とは別に熱源を用意する必要がなく、装置の使い勝手をより一層高めることができる。
【発明の効果】
【００１８】
本発明に係る靴類乾燥装置は、小型化や低コスト化が実現可能でありながら、同時に、天候や時間に左右されることなく靴類を迅速且つ確実に乾燥させることができるという優れた効果を有する。
【発明を実施するための最良の形態】
【００１９】
以下、図面を用いて、本発明の実施形態に係る靴類乾燥装置を詳細に説明する。
【００２０】
<全体構成>
【００２１】
図１は本実施形態に係る靴類乾燥装置１０の外観を模式的に示した外観斜視図である。
【００２２】
同図に示されるように、この靴類乾燥装置１０は、運動靴などの靴類が載置される載置台１２と、この載置台１２を覆うように配設された箱状体の反射体１４と、を有して構成されている。
【００２３】
<載置台>
【００２４】
載置台１２は、リング状に折り曲げ成形された竿掛けフック１６Ａを有する中央支柱１６と、この中央支柱１６の中央部やや下よりの位置から水平方向両側に延出され、上方に向かって略Ｌ字形状に折り曲げ成形された靴座支柱１８と、この靴座支柱１８の端部において回動可能に支持された靴座２０と、中央支柱１６の下端部から靴座支柱１８と略同方向の水平方向両側に延出形成された横支柱２２と、この横支柱２２の両端部に回動可能に設けられた脚部２４によって構成されている。
【００２５】
靴座２０は、靴の踵部分を支持するためのリング状の踵支持部２０Ａと、この踵支持部２０Ａを基端として延出形成された棒状の靴座本体２０Ｂと、この靴座本体２０Ｂの先端部から踵支持部２０Ａ側に向けて放物線状に延出形成された、可撓性を有する略Ｕ字形状の（先端部が丸く成形された）爪先支持部２０Ｃによって構成されている。なお、本実施形態に係る靴類乾燥装置１０は、同一形状の２つの靴座２０を備え、各々の靴座２０の爪先支持部２０Ｃが紙面の奥側に向くように配設されているが、本発明に係る靴座はこれに限定されるものではなく、例えば、一方の靴座２０の爪先支持部２０Ｃが紙面の奥側に向くように配設し、他方の靴座２０の爪先支持部２０Ｃが紙面の手前側に向くように配設してもよい。
【００２６】
この靴座２０では、靴を裏返し、靴の爪先部分の内側空間内に爪先支持部２０Ｃを挿入すると共に、靴の踵部分の内側面に踵支持部２０Ａが当接するようにして靴がセットされる。
【００２７】
図２は靴座支柱１８と靴座２０との連結部分を拡大して示した部分拡大図である。
【００２８】
同図に示されるように、靴座２０の靴座本体２０Ｂには、靴座支柱１８の一端部１８Ａが嵌合される第１貫通孔２０Ｄと、棒状のストッパー２６の一端部２６Ａが嵌合される第２貫通孔２０Ｅが設けられている。なお、図示はしないが、靴座支柱１８の先端部１８Ａおよびストッパー２６の先端部２６Ａは、紙面の手前から奥側に向けて突出して成形され、その突出部が第１貫通孔２０Ｄおよび第２貫通孔２０Ｅにそれぞれ嵌合されている。
【００２９】
ストッパー２６の他端部２６Ｂは、靴座支柱１８に形成された貫通孔１８Ｂに対して着脱可能に構成されている。そして、ストッパー２６の他端部２６Ｂが靴座支柱１８の貫通孔１８Ｂに嵌合されている場合には、靴座２０は靴座支柱１８に対して所定角度で支持固定される。一方、ストッパー２６の他端部２６Ｂが靴座支柱１８の貫通孔１８Ｂから外された場合には、靴座２０が第１貫通孔２０Ｄを中心として靴座支柱１８に対して回動し、最終的に、靴座支柱１８、靴座２０、ストッパー２６が略同一平面上に位置することになる（図２の２点鎖線を参照）。なお、靴座２０やストッパー２６の折りたたみ構造はこの例に限定されるものではない。
【００３０】
図３は横支柱２２と脚部２４との連結部分を拡大して示す部分拡大図である。
【００３１】
同図に示されるように、脚部２４は、横支柱２２の軸心周りに回動可能に配設された一対の第１脚部２４Ａおよび第２脚部２４Ｂによって構成されている。これら第１、第２脚部２４Ａ、２４Ｂは、横支柱２２に一体的に形成されたストッパー２２Ａによって、その回動範囲が規制されている。すなわち、第１、第２脚部２４Ａ、２４Ｂがストッパー２２Ａに当接するまで第１、第２脚部２４Ａ、２４Ｂを図中Ｒ２方向に回動させると、第１、第２脚部２４Ａ、２４Ｂが所定の角度をなして広がり、載置台１２が起立可能な状態となる。一方、第１、第２脚部２４Ａ、２４Ｂがストッパー２２Ａに当接するまで第１、第２脚部２４Ａ、２４Ｂを図中Ｒ１方向に回動させると、第１、第２脚部２４Ａ、２４Ｂおよび横支柱２２が略同一平面上に位置して、載置台１２が折りたたまれて起立不能な状態となる。なお、第１、第２脚部２４Ａ、２４Ｂの折りたたみ構造はこの例に限定されるものではない。
【００３２】
このように、載置台１２は、ストッパー２６の他端部２６Ｂを靴座支柱１８から外して靴座２０を回動させることによって、靴座支柱１８、靴座２０、ストッパー２６を略同一平面上に位置させることができると共に、第１、第２脚部２４Ａ、２４Ｂを図中Ｒ１方向に回動させることによって、第１、第２脚部２４Ａ、２４Ｂと横支柱２２を略同一平面上に位置させることができ、全体として略平板状に折りたたむことが可能となっている。なお、第１、第２脚部２４Ａ、２４Ｂの先端部にゴムキャップなどをはめれば、床面が脚部２４で傷ついてしまうことを未然に防止することができる。
【００３３】
また、載置台１２の材質は特に限定されないが、例えば、ステンレス、鉄、プラスチックなどを採用することができる。また、載置台１２の形状も本実施形態で示される例に限定されるものではないが、反射体１４内の空気の対流を円滑にして靴の乾燥を促進するためには、板状の部材よりも、線状または棒状の部材によって構成することが好ましい。
【００３４】
<反射体>
【００３５】
図１に戻って、反射体１４は箱状体からなり、靴座２０の上下を覆う上面２８および下面３０と、靴座２０の四方を覆う前面３２、背面３４、左側面３６、右側面３８とによって構成されている。また、反射体１４の上面２８、下面３０、前面３２、背面３４、左側面３６、右側面３８の各内側面は、熱源４０（本発明に係る発熱体）からの輻射線を反射可能な反射面とされており、その反射面が載置台１２に向けて配設されている。
【００３６】
反射体１４は、本実施形態ではアルミ箔で構成されており、反射体１４における反射面の裏側の面は断熱材（図示省略）で覆われている。なお、本発明に係る反射体の反射面は、熱源４０から照射される輻射線を反射可能な材質であればよく、アルミ箔に限定されるものではない。また、アルミ箔だけで十分な断熱効果を得ることができる場合などには断熱材は不要である。
【００３７】
また、熱源４０の種類は特に限定されないが、通常は照明装置などとして利用される光源が好適である。例えば、光源の一つである白熱灯は、光と共に熱を発生するが、光の発生を主としているため、その発熱量は、熱の発生を主とした熱源（例えば温風器など）よりも少ない。しかしながら、本発明の靴類乾燥装置は反射体を備えるため、光源から発生する少ない熱を、靴類の乾燥に効率的に利用することが可能である。
【００３８】
上面２８には、靴類乾燥装置１０の上方に配置された熱源４０から発せられる輻射線を反射体１４内部に入射可能な大きさを有する四角形状の上面開口部２８Ａが形成されている。
【００３９】
下面３０には、載置台１２の一部を反射体１４の下面３０側から反射体１４の内部に挿入するための下面スリット３０Ａが形成されている。また、下面３０の四隅には靴座支柱１８に固定された吊り下げ線（例えば、ピアノ線）４２の先端部がそれぞれ固定されており、これにより、反射体１４は載置台１２に吊り下げられた状態となっている。
【００４０】
また、反射体１４には複数本の折り目４４が形成されており、反射体１４は、これらの折り目４４に沿って平板状に折りたたみ可能な構造となっている。
【００４１】
なお、本発明に係る反射体の形状は、本実施形態に示される例に限定されるものではなく、靴座２０に載置される靴を囲うことができる程度の大きさであればよい。
【００４２】
従って、例えば、反射体を下面３０、前面３２、背面３４、左側面３６、右側面３８の５つの面からなる箱状体としてもよく、この場合、上面２８を無くすことによって靴の出し入れを一層容易に行うことができる。また、上面２８を設けることなく、反射体を前面３２、背面３４、左側面３６、右側面３８、下面３０の５つの面からなる円柱形状体としてもよい。さらに、このような箱状体や円柱形状体の他、半球状体、多角柱形状体などであってもよい。
【００４３】
また、上面開口部２８Ａや下面スリット３０Ａの形状も本実施形態に示される例に限定されるものではない。
【００４４】
次に、靴類乾燥装置１０の使用方法について説明する。
【００４５】
最初に、乾燥させたい靴類を、反射体１４の上部開口部２８Ａから裏返しの状態で入れ、靴の爪先部分を爪先支持部２０Ｃに挿入した後、靴の踵部分を踵支持部２０Ａ上に載置する。そして、反射体１４の上部開口部２８Ａの上方に、熱源４０を配置して、熱源４０から輻射線を反射体１４の内部に向けて出射する。
【００４６】
熱源４０からの輻射線の一部は、直接、載置台１２に載置された靴類に照射される。この結果、輻射線の熱エネルギーによって靴類の表面温度が上昇すると共に、反射体１４の内部温度が上昇し、反射体１４の内部の湿度低下や空気の対流が引き起こされ、靴類の乾燥が促進される。また、熱源４０からの輻射線の一部は、靴類に照射されることなく反射体１４の反射面で反射される。この結果、反射面によって反射された輻射線によって靴類の表面温度が上昇すると共に、反射体１４の内部温度が上昇し、反射体１４の内部の湿度低下や空気の対流が引き起こされ、靴類の乾燥がさらに促進される。
【００４７】
次に、本発明の発明者が行った実験について説明する。
【００４８】
本実験では、乾燥条件の悪い冬の雨天時の屋内を想定して、室温を約１０度、湿度を約７０〜８０％に設定した。また、反射体は上面が無い箱状のものを用意し、この反射体で載置台を囲むように配設すると共に、反射体は、載置台に吊り下げることなく床面に置いて使用した。
【００４９】
熱源として１００Ｗの白熱灯を使用した場合、厚手のスニーカーでは約４時間半〜５時間で、また、薄手のスニーカーでは約２時間半〜３時間で乾燥した。なお、乾燥時における反射体内の底部近傍の温度は２５〜３０度、湿度は４３〜５０％であり、反射体外部との温度差は約１０〜１５度、湿度差は２２〜３５％であった。
【００５０】
また、熱源として６０Ｗの白熱灯を使用した場合、厚手のスニーカーでは約６時間半で、また、薄手のスニーカーでは約３時間半〜４時間で乾燥した。なお、乾燥時における反射体内の底部近傍の温度は２２〜２５度、湿度は４５〜５０％であり、反射体外部との温度差は約１０〜１５度、湿度差は２５〜３２％であった。
【００５１】
本実験により、乾燥条件の悪い冬の雨天時の屋内においても、靴類を迅速且つ確実に乾燥させることができることが証明された。
【００５２】
以上説明したように、本実施形態に係る靴類乾燥装置１０は、靴類を載置する載置台１２と、反射面が載置台１２に向けて配設される反射体１４と、を有して構成され、発熱体（からの輻射線）を利用して靴類を乾燥させる靴類乾燥装置である。
【００５３】
本実施形態に係る靴類乾燥装置１０によれば、白熱灯など、一般家庭に備わっている発熱体を熱源として靴類を乾燥させることができるため、特別な装置が不要で、装置の小型化や低コスト化が容易である。また、従来の靴類乾燥装置のように乾燥時間が天候や時間に左右されることがなく、靴類を迅速且つ確実に乾燥させることができる。さらに、従来の靴類乾燥装置のように熱風を使用しないため、熱風による火傷や靴の損傷の心配がない。
【００５４】
また、反射体１４における反射面の裏側の面の少なくとも一部が断熱材で覆われているため、熱源からの輻射線による熱が、反射面の裏側の面から外部に放出されてしまうのを防止することができる。そのため、反射面側の温度の低下を抑えることができ、靴類をさらに効率的に乾燥させることができる。
【００５５】
また、載置台１２および反射体１４が折りたたみ可能に構成されているため、使用後や運搬時に装置を折りたたむことができ、装置の使い勝手を向上させることができる。
【００５６】
また、反射体１４が箱状体からなるため、熱源から発生する熱を反射体１４の内部に効率的に保持することができる。
【００５７】
また、反射体１４の上面２８には熱源からの輻射線が入射可能な開口部２８Ａが形成され、反射体１４の下面３０には載置台１２の一部を反射体１４の内部に挿入可能なスリット３０Ａが形成されているため、載置台１２の一部を反射体１４の内部に収容することができる。そのため、装置によって占有される空間を小さくすることができ、装置を様々な場所に設置することが可能となると共に、靴類を反射体１４によって隠すことが可能となり、装置の使用時における見栄えが良く、景観を損なうことがない。さらに、熱源が反射体１４や載置台１２よりも上方に位置することになるため、乾燥中の靴から垂れた水滴が熱源に落ちて熱源が損傷するようなおそれがない。
【００５８】
また、反射体１４が、載置台１２に吊り下げられているため、反射体１４の下方に空間を形成することができる。そのため、反射体１４の下面３０に形成されたスリット３０Ａを介して外部の空気を反射体１４の内部に導くことによって、反射体１４の内部の空気を対流させることができ、より一層、靴類の乾燥を促進することができる。
【００５９】
また、載置台１４の上部に、自身を吊り下げるためのフック１６Ａが設けられているため、フック１６Ａを利用して載置台１２を物干し竿などに吊るすことができる。そのため、載置台１２を、単独で自然乾燥用の靴干しとして利用することもでき、載置台１２の利用範囲を広げることができる。
【００６０】
また、載置台１２は、靴の踵部分を支持するためのリング状の踵支持部２０Ａと、この踵支持部２０Ａを基端として延出形成された靴座本体２０Ｂと、この靴座本体２０Ｂの先端部から踵支持部２０Ａ側に向けて放物線状に延出形成された可撓性を有する爪先支持部２０Ｃと、を有して構成される靴座２０を備えていれば、靴を安定的に支持することができる。また、爪先支持部２０Ｃの先端を丸めてあるため、靴の着脱時に靴の爪先部分を傷つけるおそれがない上に、爪先部分の幅寸法が異なるような複数種類のサイズの靴に対応することが可能となる。
【００６１】
また、靴座２０が傾斜可能に構成されているため、靴の水切りを効果的に行うことができ、特に、靴の爪先部分が上方に位置するように傾斜させることによって、乾きにくい爪先部分を熱源４０に近づけることができ、靴類を効果的に乾燥させることができる。
【００６２】
なお、輻射線を発する熱源をさらに備えれば、装置とは別に熱源を用意する必要がなく、装置の使い勝手をより一層高めることができる。
【００６３】
また、本発明に係る靴類乾燥装置は、上記した実施の形態に限定されるものではなく、本発明の要旨を逸脱しない範囲内において種々変更を加え得ることは勿論である。
【産業上の利用可能性】
【００６４】
本発明に係る靴類乾燥装置は、運動靴などの乾燥に好適である。
【図面の簡単な説明】
【００６５】
【図１】本実施形態に係る靴類乾燥装置の外観を模式的に示す外観斜視図である。
【図２】同靴類乾燥装置の靴座と靴座支柱の連結部分を拡大して示す部分拡大図である。
【図３】同靴類乾燥装置の横支柱と脚部の連結部分を拡大して示す部分拡大図である。
【符号の説明】
【００６６】
１０  靴類乾燥装置
１２  載置台
１４  反射体
１６  中央支柱
１８  靴座支柱
２０  靴座
２２  横支柱
２４  脚部
２６  ストッパー
４０  熱源
【図１】
2007319501.tif 000003
【図２】
2007319501.tif 000004
【図３】
2007319501.tif 000005